(57)【特許請求の範囲】
【請求項１】
多地点協調伝送ネットワーク内の多地点協調伝送管理機器においてアップリンク多地点伝送移動局のユーザ・データを制御する方法であって、１つまたは複数の隣接基地局および前記多地点協調伝送管理機器が協調的に前記移動局にサービスを提供し、この方法が、
ａ．前記１つまたは複数の隣接基地局の少なくとも１つに第１のＡＣＫメッセージまたは第１のＮＡＣＫメッセージを送信することが必要であるかどうかを判断するステップと、
ｂ．前記少なくとも１つの隣接基地局に前記第１のＡＣＫメッセージを送信することが必要なときに、前記１つまたは複数の隣接基地局のすべてに前記第１のＡＣＫメッセージを送信するステップとを含み、前記第１のＡＣＫメッセージが、前記すべての隣接基地局が前記多地点協調伝送管理機器に前記隣接基地局によって取得された前記ユーザ・データを送信する必要がないことを指示するために使用される、方法。
【請求項２】
ステップａの後に、
ｂ’．前記少なくとも１つの隣接基地局に前記第１のＮＡＣＫメッセージを送信することが必要であるときに、前記少なくとも１つの隣接基地局に前記第１のＮＡＣＫメッセージを送信するステップを含み、前記第１のＮＡＣＫメッセージが、前記少なくとも１つの隣接基地局が前記多地点協調伝送管理機器に前記少なくとも１つの隣接基地局によって取得された前記ユーザ・データを送信する必要があることを指示するために使用される、請求項１に記載の方法。
【請求項３】
ステップａの前に、
ｉ１．前記ユーザ・データがローカル検波によって適切に検波できるかを判断するステップと、
ｉ２．前記ユーザ・データを適切に検波できる場合に、前記すべての隣接基地局に前記第１のＡＣＫメッセージを送信することが必要であると判断し、前記ユーザ・データが適切に検波できない場合に、前記少なくとも１つの隣接基地局に前記第１のＮＡＣＫメッセージを送信することが必要であると判断するステップを含む、請求項１または２に記載の方法。
【請求項４】
ステップｂ’の後に、
ｃ’．前記少なくとも１つの隣接基地局からのユーザ・データを受信するステップと、
ｄ’．前記多地点協調伝送管理機器内のユーザ・データおよび前記少なくとも１つの隣接基地局からのユーザ・データに従って、ジョイント・ディテクションおよび結合を行うステップとをさらに含む、請求項２に記載の方法。
【請求項５】
ステップｄ’の後に、
ｅ１．前記ユーザ・データが、前記ジョイント・ディテクションおよび結合によって適切に取得できるかどうかを判断するステップと、
ｅ２．前記ユーザ・データが適切に取得できる場合、前記ジョイント・ディテクションおよび結合に加わっていない他のすべての隣接基地局に第２のＡＣＫメッセージを送信することが必要であると判断するステップと、
ｅ２’．前記ユーザ・データが適切に取得できない場合、前記ジョイント・ディテクションおよび結合に加わっていない他の隣接基地局のうちの少なくとも１つに第２のＮＡＣＫメッセージを送信することが必要であると判断するステップと、
ｆ．前記ジョイント・ディテクションおよび結合に加わっていない前記他の基地局のうちの少なくとも１つからユーザ・データを受信するステップと、
ｇ．前記少なくとも１つの隣接基地局および前記少なくとも１つの他の基地局を、新しい少なくとも１つの隣接基地局として設定し、所定の条件が満たされるまで前記ステップｄ’からｇを繰り返すステップとをさらに含む、請求項４に記載の方法。
【請求項６】
前記所定の条件が、
−  前記ジョイント・ディテクションおよび結合を実施するために前記移動局にサービスを提供するすべての隣接基地局を結合すること、
−  前記ジョイント・ディテクションおよび結合を実施するために前記移動局にサービスを提供する一部の隣接基地局を結合し、ユーザ・データを適切に検波すること、
−  前記移動局にＡＣＫメッセージまたはＮＡＣＫメッセージを送信する時間になること、のいずれか１つを含む、請求項５に記載の方法。
【請求項７】
前記ステップｂが、
−  前記移動局に前記第１のＡＣＫメッセージを送信するステップをさらに含む、請求項１に記載の方法。
【請求項８】
前記サービスを提供する基地局が非同期検波手法を利用し、前記ユーザ・データがソフト・ビット情報を含む、または、
前記サービスを提供する基地局が同期検波手法を利用し、前記ユーザ・データが、信号シンボルを定量化した値およびチャネル状態情報を含む、請求項１乃至７のいずれか１項に記載の方法。
【請求項９】
多地点協調伝送ネットワーク内の隣接基地局において、アップリンク多地点伝送移動局のユーザ・データを制御するように多地点協調伝送管理機器を調整する方法であって、
Ａ．ＡＣＫメッセージまたはＮＡＣＫメッセージが前記多地点協調伝送管理機器から受信されたかどうかかを判断するステップと、
Ｂ．ＡＣＫメッセージが前記多地点協調伝送管理機器から受信されたとき、前記ユーザ・データを破棄するステップとを含む、方法。
【請求項１０】
ステップＡの後に、
Ｂ’．ＮＡＣＫメッセージが前記多地点協調伝送管理機器から受信されると、前記多地点協調伝送管理機器に前記ユーザ・データを送信し、次に前記ユーザ・データを破棄するステップを含む、請求項９に記載の方法。
【請求項１１】
ステップＢまたはＢ’の前に、
−前記移動局からのユーザ・データをローカルで検波するステップを含む、請求項９または１０に記載の方法。
【請求項１２】
前記移動局にサービスを提供する基地局が非同期検波手法を利用し、前記ユーザ・データがソフト・ビット情報を含む、請求項９乃至１１のいずれか１項に記載の方法。
【請求項１３】
前記移動局にサービスを提供する基地局が同期検波手法を利用し、前記ユーザ・データが、信号シンボルを定量化した値およびチャネル状態情報を含む、請求項９乃至１１のいずれか１項に記載の方法。
【請求項１４】
多地点協調伝送ネットワーク内の多地点協調伝送管理機器においてアップリンク多地点伝送移動局のユーザ・データを制御する管理装置であって、１つまたは複数の隣接基地局および前記多地点協調伝送管理機器が協調的に前記移動局にサービスを提供し、この管理装置が、
前記１つまたは複数の隣接基地局の少なくとも１つに第１のＡＣＫメッセージまたは第１のＮＡＣＫメッセージを送信することが必要であるかどうかを判断するための第１の判断手段と、
前記少なくとも１つの隣接基地局に前記第１のＡＣＫメッセージを送信することが必要なときに、前記１つまたは複数の隣接基地局のすべてに前記第１のＡＣＫメッセージを送信するための第１の送信手段とを備え、前記第１のＡＣＫメッセージが、前記すべての隣接基地局が前記多地点協調伝送管理機器に前記隣接基地局によって取得された前記ユーザ・データを送信する必要がないことを指示するために使用される、管理装置。
【請求項１５】
多地点協調伝送ネットワーク内の隣接基地局において、アップリンク多地点伝送移動局のユーザ・データを制御するように多地点協調伝送管理機器を調整する補助装置であって、
前記多地点協調伝送管理機器からＡＣＫメッセージまたはＮＡＣＫメッセージが受信されたかどうかを判断するための第２の判断手段と、
ＡＣＫメッセージが前記多地点協調伝送管理機器から受信されたとき、前記ユーザ・データを破棄するためのフラッシュ手段とを備える、補助装置。
【発明の詳細な説明】
【技術分野】
【０００１】
本発明は、通信ネットワークに関し、より詳細には、多地点協調伝送ワイヤレス通信ネットワークに関する。
【背景技術】
【０００２】
多地点協調伝送（ＣｏＭＰ）は、ＬＴＥ−Ａｄｖａｎｃｅｄにおいて、平均スループットおよびセル端スループットを向上させるためのスキームとして受け入れられている。
【０００３】
既存のアップリンク伝送には、ＣｏＭＰジョイント信号処理を実現するために、少なくとも以下の２種類がある。
【０００４】
１）ネットワーク多入力多出力（ＭＩＭＯ）
ジョイント・ディテクション（ｊｏｉｎｔ  ｄｅｔｅｃｔｉｏｎ）を伴うコヒーレント・ネットワークＭＩＭＯでは、チャネル状態情報（ＣＳＩ）とデータの両方が多地点協調伝送管理機器に送信されなければならない。これは非常に複雑であるため、ＩＥＥＥ８０２．１６ｍでは採用されていない。ネットワークＭＩＭＯというこの手法は、基地局間（ｉｎｔｒａ−ｂａｓｅ  ｓｔａｔｉｏｎ）で、たとえば基地局（ＢＳ）からなる異なるセクタの間で実現される方が適切である。
【０００５】
２）協調ＭＩＭＯ
マルチ・セル協調ＭＩＭＯは、ノンコヒーレントな分散型セル間干渉抑圧を利用する。隣接ＢＳは、多地点協調伝送管理機器にデータを送信するだけでよく、多地点協調伝送管理機器にＣＳＩを送信する必要はない。このスキームでは、ＢＳ間でデータを交換するだけでよく、ＣＳＩを交換する必要はないので、システムの複雑さが軽減される。しかし、ＢＳ間でデータ情報を交換してもなお、高額のバックホール・コストが発生する。
【０００６】
バックホールとは、ＢＳ間のバックホール・ネットワークを意味する。ＢＳは、ケーブル接続、マイクロ波接続などを介してデータおよび／または信号を交換することができる。
【０００７】
より具体的には、従来のＣｏＭＰスキームでは、さまざまな検波方式（同期検波または非同期検波）およびＣｏＭＰ方式（隣接ＢＳが受信信号を前処理する必要があるかどうか）に従って、隣接ＢＳは、サービスを提供する（ｓｅｒｖｉｎｇ）ＢＳにデータおよびＣＳＩまたはデータを送信する。次に、サービスを提供する局は、隣接ＢＳから受信されたデータおよびＣＳＩまたはデータに基づいてジョイント・ディテクションおよび結合（ｃｏｍｂｉｎａｔｉｏｎ）を行う。
【０００８】
前述したＣｏＭＰアップリンク・データ伝送のスキームでは、高額のバックホール・コストが発生する。さらに、サービスを提供するＢＳがジョイントＣｏＭＰクラスタ内のすべての隣接セルと協調してジョイント・ディテクションおよび結合を実施する必要があるので、ジョイント処理の複雑さが増加する。
【発明の概要】
【課題を解決するための手段】
【０００９】
当技術分野におけるこれらの問題を考慮して、本発明は、段階的な（ｐｒｏｇｒｅｓｓｉｖｅ）アップリンク多地点協調ＭＩＭＯ処理スキーム、およびその協調処理管理機器すなわち多地点協調伝送管理機器を提供する。多地点協調ジョイント信号処理は、段階的に実現可能である。データ検波が適切かどうかによって、協調処理管理機器は、同じＣｏＭＰクラスタ内の他の隣接ＢＳにＡＣＫメッセージまたはＮＡＣＫメッセージを送信することが必要であるかどうかを判断する。協調処理管理機器が隣接ＢＳにＡＣＫメッセージを送信することが必要であるとき、各隣接ＢＳに、協調処理管理機器にユーザ・データを送信する必要がないことを通知するために、ＡＣＫメッセージがＣｏＭＰクラスタ内のすべての隣接ＢＳに送信される。協調処理管理機器が隣接ＢＳにＮＡＣＫメッセージを送信することが必要であるとき、少なくとも１つの隣接ＢＳに、協調処理管理機器にユーザ・データを送信することが必要であることを通知するために、ＮＡＣＫメッセージがＣｏＭＰクラスタ内の少なくとも１つの隣接ＢＳに送信され、協調処理管理機器からのＮＡＣＫメッセージによって、少なくとも１つの隣接ＢＳが協調処理管理機器にユーザ・データを送信する。協調処理管理機器によって取得されたユーザ・データおよび少なくとも１つの隣接ＢＳからのユーザ・データに従って、協調処理管理機器がジョイント・ディテクションおよび結合を実施する。
【００１０】
本発明の第１の態様によれば、段階的なアップリンク多地点協調ＭＩＭＯ処理スキームが提供される。多地点協調ジョイント信号処理は、段階的に実現可能である。多地点協調伝送ネットワーク内の多地点協調伝送管理機器においてアップリンク多地点伝送移動局のユーザ・データを制御する方法が提供され、ＣｏＭＰクラスタ内の１つまたは複数の隣接基地局および多地点協調伝送管理機器は協調的に移動局にサービスを提供（ｓｅｒｖｅ）する。この方法は、１つまたは複数の隣接基地局の少なくとも１つに第１のＡＣＫメッセージまたは第１のＮＡＣＫメッセージを送信することが必要であるかどうかを判断するステップと、少なくとも１つの隣接基地局に第１のＡＣＫメッセージを送信することが必要なときに、１つまたは複数の隣接基地局のすべてに第１のＡＣＫメッセージを送信するステップとを含み、第１のＡＣＫメッセージは、すべての隣接基地局が多地点協調伝送管理機器に、隣接基地局によって取得されたユーザ・データを送信する必要がないことを指示するために使用される。
【００１１】
本発明の第２の態様によれば、多地点協調伝送ネットワーク内の隣接基地局において、アップリンク多地点伝送移動局のユーザ・データを制御するように多地点伝送管理機器を調整する方法が提供される。この方法は、多地点協調伝送管理機器から受信されたのがＡＣＫメッセージかそれともＮＡＣＫメッセージかを判断するステップと、ＡＣＫメッセージが多地点協調伝送管理機器から受信されたとき、ユーザ・データを破棄するステップとを含む。
【００１２】
本発明の第３の態様によれば、多地点協調伝送ネットワーク内の多地点協調伝送管理機器においてアップリンク多地点伝送移動局のユーザ・データを制御する管理装置が提供され、１つまたは複数の隣接基地局および前記多地点協調伝送管理機器が協調的に前記移動局にサービスを提供する。この管理装置は、１つまたは複数の隣接基地局の少なくとも１つに第１のＡＣＫメッセージまたは第１のＮＡＣＫメッセージを送信することが必要であるかどうかを判断するための第１の判断手段と、少なくとも１つの隣接基地局に第１のＡＣＫメッセージを送信することが必要なときに、１つまたは複数の隣接基地局のすべてに第１のＡＣＫメッセージを送信するための第１の送信手段とを備え、第１のＡＣＫメッセージは、すべての隣接基地局が多地点協調伝送管理機器に、隣接基地局によって取得されたユーザ・データを送信する必要がないことを指示するために使用される。
【００１３】
本発明の第４の態様によれば、多地点協調伝送ネットワーク内の隣接基地局において、アップリンク多地点伝送移動局のユーザ・データを制御するように多地点伝送管理機器を調整する補助装置が提供される。この補助装置は、多地点協調伝送管理機器から受信されたのがＡＣＫメッセージかそれともＮＡＣＫメッセージかを判断するための第２の判断手段と、ＡＣＫメッセージが多地点協調伝送管理機器から受信されたとき、ユーザ・データを破棄するためのフラッシュ手段とを備える。
【００１４】
本発明において提供される技術スキームを適用すると、以下の利点がある。
【００１５】
柔軟な多地点協調伝送メカニズムが提供される。多地点協調ＭＩＭＯは、段階的に実現可能であり、ＨＡＲＱ  ＡＣＫ／ＮＡＣＫ情報のみが多地点協調に導入され、それによって、システム性能を低下させないことを前提として、多地点協調伝送によって必要とされるバックホール・コストを効果的に削減することができる。
【００１６】
サービスを提供するＢＳがユーザ・データを適切に検波できるとき、サービスを提供するＢＳと隣接ＢＳの間のバックホールを介してデータを交換することが回避され、したがってバックホール・コストが節約される。
【００１７】
サービスを提供するＢＳがローカル検波に基づいてユーザ・データを適切に検波できる場合、またはサービスを提供するＢＳがいくつかの隣接ＢＳを結合（ｃｏｍｂｉｎｅ）してジョイント・ディテクションを実施した後に、ジョイント・ディテクションのためのより多くのＢＳの不必要な組み合わせが回避でき、したがってジョイント処理の複雑さを軽減することができる。
【００１８】
図の非限定的な実施形態に関する以下の説明を参照することにより、本発明の他の特徴、目的、および利点がより明らかになるであろう。
【図面の簡単な説明】
【００１９】
【図１】本発明の具体的な適用シナリオにおけるネットワーク・トポロジの概略図である。
【図２】本発明の詳細な実施形態による、サービスを提供するＢＳ  １ａについての方法の流れ図である。
【図３】本発明の詳細な実施形態によるＢＳ  １ｂについての方法の流れ図である。
【図４】本発明の変更された詳細な実施形態によるＢＳ  １ｂについての方法の流れ図である。
【図５】本発明の詳細な実施形態による装置のブロック図である。
【発明を実施するための形態】
【００２０】
上記のさまざまな図を通して、同じまたは類似の参照番号は、同じまたは類似のステップの特徴または機能／モジュールを指す。
【００２１】
図１は、本発明の具体的な適用シナリオにおけるネットワーク・トポロジの概略図を示す。ここで、ＢＳ  １ａは移動局（ＭＳ）２ａにサービスを提供するＢＳであり、ＢＳ  １ｂおよびＢＳ  １ｃはＢＳ  １ａの隣接ＢＳである。ＢＳ  １ｂおよびＢＳ  １ｃおよびサービスを提供するＢＳ  １ａは、協調的にＭＳ  ２ａにサービスを提供する。本発明のサービスを提供するＢＳ  １ａはデータ・サービスの処理と伝送の両方を遂行するが、多地点協調伝送の機能の制御を担当し、多地点協調伝送管理機器に相当する。図１はさらに、ＢＳ  １ａ、ＢＳ  １ｂ、ＢＳ  １ｃとＭＳ  ２ａの間の通信リンクをそれぞれ示す。通信リンクは、稲妻の記号で表されている。３ａはＢＳ  １ａとＭＳ  ２ａの間の通信リンクを表し、３ｂはＢＳ  １ｂとＭＳ  ２ａの間の通信リンクを表し、３ｃはＢＳ  １ｃとＭＳ  ２ａの間の通信リンクを表す。ここで、リンク３ａは、サービスを提供するＢＳ  １ａとＭＳ  ２ａの間の通信リンクであり、したがってリンク３ａはＭＳ  ２ａのサービスを提供する無線リンクであり、リンク３ｂおよび３ｃはいずれもサービスを提供しない無線リンクである。
【００２２】
図２は、本発明の詳細な実施形態による、サービスを提供するＢＳ  １ａについての方法の流れ図を示す。以下では、図２を参照すると共に図１に関連して、本発明の、サービスを提供するＢＳ  １ａの詳細な実施形態について詳細に説明する。
【００２３】
まず、ＣｏＭＰセルが画定される。ＭＳがセルの端にあり、このＭＳから、複数のＢＳが信号を受信できる場合、この複数のＢＳは、これらおよびＭＳのワイヤレス位置に従ってＭＳのＣｏＭＰセルを構成する。ここで、複数のＢＳには、ＭＳのサービスを提供するＢＳとサービスを提供するＢＳの隣接ＢＳとの両方が含まれる。
【００２４】
ステップＳ１０において、サービスを提供するＢＳ  １ａは、ユーザ・データをローカルで検波する。
【００２５】
−  ＢＳ  １ａがこの時点でＭＳ  ２ａのユーザ・データを検波するだけでよい場合、すなわちＢＳ  １ａがこの時点でＭＳ  ２ａのみにサービスを提供する場合、対応するＢＳ  １ａの検波手法は、シングル・ユーザ・ディテクション（ｓｉｎｇｌｅ  ｕｓｅｒ  ｄｅｔｅｃｔｉｏｎ）である。従来のシングル・ユーザ受信機では、一致相関（ｍａｔｃｈ  ｃｏｒｒｅｌａｔｉｏｎ）は、それぞれの信号を検波するために各シングル・ユーザに適用される。たとえば、サービスを提供するＢＳ  １ａは、ユーザ・データを検波するために最大比合成（ＭＲＣ）を利用することができる。
【００２６】
−  ＢＳ  １ａが、たとえばセル内の複数のＭＳと、セルの端にあるＭＳ  ２ａなどの複数のセルにまたがるＭＳの両方を含み、複数のＭＳのユーザ・データを同時に検波する必要がある場合、ＢＳ  １ａはマルチ・ユーザ・ディテクション法を利用する。いわゆるマルチ・ユーザ・ディテクションとは、複数のユーザの情報が、各シングル・ユーザに関して受信またはデータ検波を実施する目的で利用されることである。マルチ・ユーザ・ディテクション技術は、ＢＳマルチ・アンテナ・システムとそれぞれのユーザ送信アンテナの間の関連チャネル情報を十分に利用し、ジョイント・ディテクションによってシングル・ユーザの情報を取得し、それによって最良の決定効果を得る。たとえば、サービスを提供するＢＳ  １ａは、最小平均二乗誤差検出法（ＭＭＳＥ検出）または最小平均二乗誤差−逐次干渉除去法（ＭＭＳＥ−ＳＩＣ検出）、逆相関検出法（ｄｅｃｏｒｒｅｌａｔｉｎｇ  ｄｅｔｅｃｔｉｏｎ）すなわちゼロフォーシング・マルチ・ユーザ・ディテクション（ＺＦ  ＭＵＤ：ｚｅｒｏ−ｆｏｒｃｉｎｇ  ｍｕｌｔｉｐｌｅ  ｕｓｅｒ  ｄｅｔｅｃｔｉｏｎ）、並列干渉除去法または逆相関判定帰還法（ＤＤＦ：ｄｅｃｏｒｒｅｌａｔｉｎｇ  ｄｅｃｉｓｉｏｎ  ｆｅｅｄｂａｃｋ）、最良のマルチ・ユーザ・ディテクションすなわち最尤系列推定（ＭＬＳＥ）を利用することができる。もちろん、ＢＳ  １ａによって利用される検波手法は、前述した手法に限定されない。ＢＳ  １ａは、他の検波手法も利用することができる。
【００２７】
次に、ＢＳ  １ａは検波データを検査するが、検査の結果には、以下の２つの状況がある。
【００２８】
状況１：ＡＣＫ
ＢＳ  １ａが、巡回冗長検査法を利用するなどして検波データを検査し、検査結果が適切である、すなわちＢＳ  １ａがユーザ・データを適切に検波できる場合、方法はステップＳ１２’に進む。ＢＳ  １ａは、すべての隣接するＢＳ  １ｂおよびＢＳ  １ｃにＡＣＫメッセージを送信し、このＡＣＫメッセージは、隣接するＢＳ  １ｂおよびＢＳ  １ｃに、取得された隣接するＢＳ  １ｂおよびＢＳ  １ｃのユーザ・データをＢＳ  １ａに送信する必要がないことを示すために使用される。
【００２９】
次いで、方法はステップＳ１３’に進み、ＢＳ  １ａはハイブリッド自動再送要求（ＨＡＲＱ）伝送を終了する。
【００３０】
ＨＡＲＱ再送メカニズムが同期再伝送をサポートする場合、ＢＳ  １ａは、あらかじめ定義されたタイムスロットがＭＳ  ２ａへのＡＣＫメッセージの伝送に到達するまで待機する。別の実施形態では、ＢＳが非同期ＨＡＲＱ再伝送をサポートする場合、すなわちＢＳからのＡＣＫメッセージまたはＮＡＣＫメッセージが、あらかじめ設定されていないときにＭＳ  ２ａに到達できる場合、ＢＳ  １ａは、ＭＳ  ２ａのデータが適切に受信されたと判断した直後に、ＭＳにＡＣＫメッセージを送信することができ、ＭＳは、それに応じてそのデータ送信のタイムスロットを調整して待ち時間をさらに減少させることができる。
【００３１】
状況２：ＮＡＣＫ
ＢＳ  １ａが、巡回冗長検査法を利用するなどして検波データを検査し、検査結果が適切でない場合、方法はステップＳ１２に進む。ＢＳ  １ａは、ＣｏＭＰクラスタ内のすべての隣接するＢＳ  １ｂおよびＢＳ  １ｃにＮＡＣＫメッセージを送信し、このＮＡＣＫメッセージは、隣接するＢＳ  １ｂおよびＢＳ  １ｃに、隣接するＢＳ  １ｂおよびＢＳ  １ｃによって取得されたユーザ・データをＢＳ  １ａに送信する必要があることを示すために使用される。
【００３２】
次いで、方法はステップＳ１３に進み、ＢＳ  １ａはＢＳ  １ｂおよびＢＳ  １ｃからのユーザ・データを受信する。
【００３３】
以下では、同期検波および非同期検波という２種類の検波手法に関して、ＢＳ  １ｂおよびＢＳ  １ｃからのユーザ・データに含まれる詳細な内容についてそれぞれ説明する。
【００３４】
□同期検波：
ＣｏＭＰネットワークが同期検波をサポートする場合、ＢＳ  １ａによって取得されたＢＳ  １ｂおよびＢＳ  １ｃからのユーザ・データは、少なくともデータおよびＣＳＩという２つの部分を含まなければならない。
【００３５】
−  データは、信号前処理後の信号シンボルを定量化した値（ｓｉｇｎａｌ  ｓｙｍｂｏｌ  ｑｕａｎｔｉｆｉｅｄ  ｖａｌｕｅ）であってもよいし、元のデータのサンプル値であってもよい。
【００３６】
−  ＣＳＩは、ＭＳからのパイロット情報に従ってＢＳ  １ｂおよびＢＳ  １ｃによってそれぞれ推定されたＣＳＩである。
【００３７】
□非同期検波：
ＣｏＭＰネットワークが非同期検波をサポートする場合、ＢＳ  １ａによって取得されたＢＳ  １ｂおよびＢＳ  １ｃからのユーザ・データは、ソフト・ビット情報（ｓｏｆｔ  ｂｉｔ  ｉｎｆｏｒｍａｔｉｏｎ）を含まなければならない。
【００３８】
ソフト・ビット情報とは、ＢＳ  １ｂおよびＢＳ  １ｃのターボ復号器からの出力情報である。
【００３９】
次いで、方法はステップＳ１４に進み、ＢＳ  １ａは、ローカルで検波されたユーザ・データならびにＢＳ  １ｂおよびＢＳ  ２ｃからのデータによってジョイント・ディテクションおよび結合を実施する。
【００４０】
□同期検波には、以下の２つの異なる状況がある。
【００４１】
１）ＢＳ  １ａは、それぞれＢＳ  １ｂおよびＢＳ  １ｃによって検波されたＢＳ  １ｂおよびＢＳ  １ｃからの信号前処理の後のＭＳ  ２ａの信号シンボルを定量化した値を受信する。したがって、ＢＳ  １ａは、ＭＳ  ２ａのパイロット情報から推定されたＢＳ  １ａとＭＳ  ２ａの間のＣＳＩ、ＢＳ  １ｂによって報告されたＢＳ  １ｂとＭＳ  ２ａの間のＣＳＩ、ＢＳ  １ｃによって報告されたＢＳ  １ｃとＭＳ  ２ａの間のＣＳＩ、ローカルで検波された信号前処理の後のＭＳ  ２ａからの信号シンボルを定量化した値、ならびにＢＳ  １ｂおよびＢＳ  １ｃによってそれぞれ検波されたＢＳ  １ｂおよびＢＳ  １ｃからの、ＭＳ  ２ａからの信号前処理の後の信号シンボルを定量化した値に従って、ジョイント・ディテクションおよび結合を実施する。
【００４２】
２）または、ＢＳ  １は、それぞれＢＳ  １ｂおよびＢＳ  １ｃによって取得され報告されたＭＳ  ２ａの元のデータのサンプル値を受信する。したがって、ＢＳ  １ａは、ＭＳ  ２ａのパイロット情報から推定されるＢＳ  １ａとＭＳ  ２ａの間のＣＳＩ、ＢＳ  １ｂによって報告されるＢＳ  １ｂとＭＳ  ２ａの間のＣＳＩ、ＢＳ  １ｃによって報告されるＢＳ  １ｃとＭＳ  ２ａの間のＣＳＩ、ローカルで取得されたＭＳ  ２ａからの元のデータのサンプル値、ならびにＢＳ  １ｂおよびＢＳ  １ｃによってそれぞれ取得されて報告された、ＭＳ  ２ａからの元のデータのサンプル値に従って、ジョイント・ディテクションおよび結合を実施する。
【００４３】
前述した同期検波の状況１）および２）では、検波手法がシングル・ユーザ・ディテクションである場合は、ジョイント・ディテクションおよび結合はＭＲＣ検波を使用することができ、検波手法がマルチ・ユーザ・ディテクションである場合は、ジョイント・ディテクションおよび結合は、ＭＭＳＥ検出またはＭＭＳＥ−ＳＩＣ検出を使用することができる。もちろん、ジョイント・ディテクションおよび結合のアルゴリズムは、上記の例に限定されるものではない。
【００４４】
□非同期検波
ＢＳ  １ａは、ＢＳ  １ｂおよびＢＳ  １ｃからのソフト・ビット情報ならびにＢ１ａがＭＳ  ２ａからの受信信号の信号処理を行った後に生成されたソフト・ビット情報に従ってソフト・ビット結合を実施する。
【００４５】
ＨＡＲＱ再伝送が非同期再伝送をサポートする場合、ＢＳ  １ａが、隣接するＢＳ  １ｂおよびＢＳ  １ｃによって報告されたＭＳ  ２ａのユーザ・データを結合した後で、ＢＳ  １ａがユーザ・データを適切に検波するか、それでも適切に検波しないとき、ステップＳ１５において、ＢＳ  １ａは、ジョイント・ディテクションおよび結合の結果に従ってＡＣＫメッセージまたはＮＡＣＫメッセージを生成する。次に、ステップＳ１６において、ＢＳ  １ａは、定期的なＨＡＲＱ再伝送または新規データ送信を引き起こすために、指定のタイムスロットの到来まで待機せずに、ＡＣＫメッセージまたはＮＡＣＫメッセージをＭＳ  ２ａにただちに送信する。
【００４６】
ＢＳ  １ａが厳密な同期ＨＡＲＱ再伝送メカニズムをサポートする場合、ＢＳ  １ａは、ステップＳ１６に進み、ＡＣＫ／ＮＡＣＫを報告するための指定のタイムスロットが到来するまで、ＭＳ  ２ａにＡＣＫメッセージまたはＮＡＣＫメッセージを送信することができる。
【００４７】
サービスを提供するＢＳ  １ａによって実施される方法について、上記で詳細に説明した。以下では、隣接ＢＳの観点から、本発明の詳細な実施形態について説明する。隣接する複数のＢＳによって実施される動作は基本的に類似しているので、ＢＳ  １ｂの動作についてのみ説明することは理解できよう。ＢＳ  １ｃの動作はＢＳ  １ｂの動作に類似しているので、ＢＳ  １ｃの動作についてはここでは説明しない。図３を参照して、本発明の一実施形態によるＢＳ  １ｂの詳細な実施形態について詳細に説明する。
【００４８】
まず、ステップＳ２０において、ＢＳ  １ｂは、サービスを提供するＢＳ  １ａから受信されたのがＡＣＫかそれともＮＡＣＫかを判断する。
【００４９】
ＢＳ  １ｂが、ＡＣＫメッセージがＢＳ  １ａから受信されたと判断した場合、方法はステップＳ２１’に進み、ＢＳ  １ｂは、バッファリングされたＭＳ  ２ａのユーザ・データをフラッシュする。
【００５０】
ＢＳ  １ｂが、ＮＡＣＫメッセージがＢＳ  １ａから受信されたと判断した場合、方法はステップＳ２１に進み、ＢＳ  １ｂは、ＭＳ  ２ａにユーザ・データを送信する。ユーザ・データに含まれる内容は、検波手法の違いによって異なり、より具体的には、その内容は少なくとも以下の２つの状況に分類することができる。
【００５１】
□同期検波：
ＣｏＭＰネットワークが同期検波をサポートする場合、ＢＳ  １ｂによってＢＳ  １ａに送信されるユーザ・データは、少なくともデータおよびＣＳＩという２つの部分を含まなければならない。
【００５２】
−  データは、干渉除去などの信号前処理後の信号シンボルを定量化した値とすることができる。この信号シンボルを定量化した値は、チャネル検波後の出力である。
【００５３】
さらに、データは元のデータのサンプル値、すなわちアナログ−デジタル変換器（ＡＤＣ）の出力ベースバンド・サンプル・シンボルとすることもでき、このサンプル・シンボルは、ＢＳ  １ｂによって処理されていない元の出力データである。
【００５４】
−  ＣＳＩは、ＭＳ  ２ａからのパイロット情報に従ってＢＳ  １ｂによって推定された、ＭＳ  ２ａからＢＳ  １ｂへのＣＳＩである。
【００５５】
□非同期検波：
ＣｏＭＰネットワークが非同期検波をサポートする場合、ＢＳ  １ｂによってＢＳ  １ａに送信されるユーザ・データは、ソフト・ビット情報である。このソフト・ビット情報は、チャネル検波後の出力である。
【００５６】
ソフト・ビット情報とは、ＡＤＣ、チャネル推定、等化、復調、およびターボ復号器の後にＢＳ  １ｂによって受信された信号の出力であるソフト・ビット情報である。いわゆるソフト・ビット情報は、硬判定（ｈａｒｄ  ｄｅｃｉｓｉｏｎ）の１ビット情報０および１に対して（ｉｎ  ｒｅｌａｔｉｖｅ  ｔｏ）、軟判定（ｓｏｆｔ  ｄｅｃｉｓｉｏｎ）後に取得されたマルチ・ビット情報である。
【００５７】
ＢＳ  １ｂがＢＳ  １ａにユーザ・データを送信した後、方法はステップＳ２２に進み、ＢＳ  １ｂは、バッファリングされたＭＳ  ２ａのユーザ・データをフラッシュする。
【００５８】
前述したＢＳ  １ａの実施形態では、ステップＳ１１において、ＢＳ  １ａが、ＮＡＣＫメッセージを送信することが必要であると判断するとき、ＢＳ  １ａは、ＣｏＭＰクラスタ内のすべての隣接するＢＳ  １ｂおよびＢＳ  １ｃにＮＡＣＫメッセージを送信し、ＢＳ  １ｂおよびＢＳ  １ｃにユーザ・データを送信することを通知し、それによってＢＳ  １ａは、複数のＢＳによってそれぞれ収集されたユーザ・データに従ってジョイント・ディテクションおよび結合を実施できる。変更された実施形態では、段階的なジョイント・ディテクションおよび結合手法について説明する。すなわち、サービスを提供するＢＳ  １ａが、それぞれ収集されたユーザ・データを隣接ＢＳに送信し、１×１または複数×複数のジョイント・ディテクションおよび結合に加わることを要求する。
【００５９】
以下では、図４を参照して、変更された実施形態について詳細に説明する。ステップＳ３０、ステップＳ３１、ステップＳ３２’、およびステップＳ３３’は、上記で説明したステップＳ１０、ステップＳ１１、ステップＳ１２’、およびステップＳ１３’にそれぞれ類似しているので、これらのステップについてはここでは説明しない。
【００６０】
ステップ３１において、ＢＳ  １ａが、隣接ＢＳにＮＡＣＫメッセージを送信することが必要であると判断した場合、ＢＳ  １ａは、ＭＳ  ２ａが位置するＣｏＭＰクラスタ内の１つまたは複数のＢＳにＮＡＣＫメッセージを送信することを選択する。
【００６１】
ＢＳ  １ａの選択方式には、少なくとも以下の２種類がある。
【００６２】
Ｉ）位置関連情報による方式
ＭＳ  ２ａが、ＭＳ  ２ａがアクセスされたときの初期範囲設定（ｒａｎｇｉｎｇ）または定期的な範囲設定またはハンドオーバ範囲設定を含めて、範囲設定を実施するとき、ＭＳ  ２ａは、各ＢＳに対する位置関係を測定し、その位置関連情報を、サービスを提供するＢＳ  １ａに報告することができる。サービスを提供するＢＳ  １ａは、ＭＳ  ２ａに最も近い１つまたは複数の隣接ＢＳを選択して、それらにＮＡＣＫメッセージを送信し、それによって１つまたは複数の隣接ＢＳに、サービスを提供するＢＳ  １ａにユーザ・データを送信するように指示することができる。本実施形態では、ＢＳ  １ｂがＭＳ  ２ａに最も近く、ＢＳ  １ｂとＭＳ  ２ａの間の信号強度が最も強い。したがって、サービスを提供するＢＳ  １ａは、ＢＳ  １ｂにユーザ・データを送信するように指示するためにＮＡＣＫメッセージをＢＳ  １ｂに送信する。
【００６３】
本明細書において、サービスを提供するＢＳ  １ａはＢＳ  １ｃにＮＡＣＫメッセージを送信せず、そのため、ＢＳ  １ｃはサービスを提供するＢＳ  １ａにユーザ・データを送信しない。したがって、バックホール・コストが発生しない。
【００６４】
ＩＩ）配置のシーケンス番号による方式
ＢＳ  １ａは、隣接するＢＳ  １ｂにはシーケンス番号０、隣接するＢＳ  １ｃにはシーケンス番号１などのように、隣接ＢＳのシーケンス番号をランダムに選択することができる。
【００６５】
次に、ＢＳ  １ａは、シーケンス番号の昇順またはシーケンス番号の降順によって、結合するための隣接ＢＳを選択する。本実施形態では、ＢＳ  １ａは、最初にＢＳ  １ｂを結合する。
【００６６】
次いで、方法はステップＳ３４に進み、ＢＳ  １ａは、ＢＳ  １ａからのユーザ・データおよびＢＳ  １ｂからのユーザ・データによって、ジョイント・ディテクションおよび結合を実施する。このステップは上述したステップＳ１４に類似しているので、ここでは詳細に説明しない。
【００６７】
次いで、方法はステップＳ３５に進み、ＢＳ  １ａは、ユーザ・データが適切に検波できるかどうかを判断する。この判断ステップは、上述したステップＳ１１に類似している。したがって、このステップについては、ここでは詳細に説明しない。
【００６８】
ＢＳ  １ａは、ＡＣＫメッセージを送信することが必要であると判断すると、ステップＳ３６’において、ＢＳ  １ａは、ＣｏＭＰクラスタ内の、ジョイント・ディテクションおよび結合に加わっていないすべての隣接ＢＳにＡＣＫメッセージを送信する。たとえば、この実施形態では、ＢＳ  １ａは、ジョイント・ディテクションおよび結合に加わっていない他の隣接するＢＳ  １ｃにＡＣＫメッセージを送信し、次に、ステップＳ３７’において、ＢＳ  １ａはＨＡＲＱ伝送を完了する。
【００６９】
ＢＳ  １ａが、ＮＡＣＫメッセージを送信することが必要であると判断するとき、ＢＳ  １ａはさらに、どのＢＳにＮＡＣＫメッセージを送信するかを判断する必要がある。ＢＳ  １ａは、ジョイント・ディテクションおよび結合に加わっていない、すなわちＢＳ  １ａにデータを送信していない１つまたは複数の他の隣接ＢＳにＮＡＣＫメッセージを送信し、それによってＢＳ  １ａにデータを送信していない１つまたは複数の他の隣接ＢＳに、取得されたユーザ・データをそれぞれ送信するように指示することが必要であり、それによりサービスを提供するＢＳ  １ａはジョイント・ディテクションおよび結合を実施することができる。ＢＳ  １ａが、ユーザ・データを送信するべき隣接ＢＳを選択する方式については、上記で説明した。したがって、これについて、ここで詳細に説明しない。たとえば、そのステップにおいて、ＢＳ  １ａは、その取得されたユーザ・データを送信するべきＢＳ  １ｃを選択する、すなわちＢＳ  １ａは、ＢＳ  １ｃにＮＡＣＫメッセージを送信する。
【００７０】
次いで、ステップＳ３７において、ＢＳ  １ａは、ＢＳ  １ｃからユーザ・データを受信する。次に、ステップＳ３８において、ＢＳ  １ａは、ＢＳ  １ａからのユーザ・データならびに隣接するＢＳ  １ｂおよびＢＳ  １ｃからのユーザ・データに従って、ジョイント・ディテクションおよび結合を実施する。
【００７１】
次いで、方法は、以下の所定の条件のいずれか１つが満たされるまで、ステップＳ３５および後続のステップを繰り返し実行する。
【００７２】
−  ＢＳ  １ａが、ジョイント・ディテクションおよび結合を実施するために、ＭＳ  ２ａにサービスを提供するすべての隣接ＢＳを結合する。
【００７３】
−  ＢＳ  １ａが、ジョイント・ディテクションおよび結合を実施するためにＭＳ  ２ａにサービスを提供する一部の隣接ＢＳを結合し、検査に合格したなどのユーザ・データを適切に検波する。
【００７４】
−  ＭＳ  ２ａにＡＣＫメッセージまたはＮＡＣＫメッセージを送信する時間になる。たとえば、同期ＨＡＲＱ再伝送ＢＳの場合、各ＢＳがＭＳにＮＡＣＫメッセージまたはＡＣＫメッセージを送信する時間は厳密に調節される。その時間になると、ＢＳ  １ａがまだユーザ・データを適切に検波していない場合は、ＢＳ  １ａは、ＭＳ  ２ａにＮＡＣＫメッセージを送信する必要がある。ユーザ・データが適切に検波されている場合は、ＢＳ  １ａは、ＭＳ  ２ａにＡＣＫメッセージを送信する。
【００７５】
上記の各実施形態では、多地点協調伝送管理機器がサービスを提供するＢＳを含む例について説明した。もちろん、多地点協調伝送管理機器は、多地点協調伝送のための信号およびデータ交換を管理するべき中央処理装置とすることもできる。
【００７６】
図５は、本発明の詳細な実施形態による装置のブロック図を示す。以下では、図５を参照すると共に図１に関連して、本発明のサービスを提供するＢＳ  １ａおよび隣接するＢＳ  １ｂの装置の実施形態について詳細に説明する。
【００７７】
サービスを提供するＢＳ  １ａは、管理装置１０を含む。管理装置１０は、第１の判断手段１００と、第１の送信手段１０１と、受信手段１０２と、結合手段１０３とを含む。
【００７８】
隣接するＢＳ  １ｂおよびＢＳ  １ｃは、補助装置２０を含む。補助装置２０は、第２の判断手段２００と、フラッシュ手段２０１と、第２の送信手段２０２とをさらに含む。
【００７９】
まず、ＣｏＭＰセルが画定される。ＭＳがセルの端にあり、このＭＳから、複数のＢＳが信号を受信できる場合、この複数のＢＳは、これらおよびＭＳのワイヤレス位置に従ってＭＳのＣｏＭＰセルを構成する。ここで、複数のＢＳには、ＭＳのサービスを提供するＢＳとサービスを提供するＢＳの隣接ＢＳとの両方が含まれる。
【００８０】
サービスを提供するＢＳ  １ａは、ユーザ・データをローカルで検波する。
【００８１】
−  ＢＳ  １ａがこの時点でＭＳ  ２ａのユーザ・データを検波するだけでよい場合、すなわちＢＳ  １ａがこの時点でＭＳ  ２ａのみにサービスを提供する場合、対応するＢＳ  １ａの検波手法は、シングル・ユーザ・ディテクションである。従来のシングル・ユーザ受信機では、一致相関は、それぞれの信号を検波するために各シングル・ユーザに適用される。たとえば、サービスを提供するＢＳ  １ａは、ユーザ・データを検波するために最大比合成（ＭＲＣ）を利用することができる。
【００８２】
−  ＢＳ  １ａが、たとえばセル内の複数のＭＳと、セルの端にあるＭＳ  ２ａなどの複数のセルにまたがるＭＳの両方を含み、複数のＭＳのユーザ・データを同時に検波する必要がある場合、ＢＳ  １ａはマルチ・ユーザ・ディテクション法を利用する。いわゆるマルチ・ユーザ・ディテクションとは、複数のユーザの情報が、各シングル・ユーザに関して受信またはデータ検波を実施する目的で利用されることである。マルチ・ユーザ・ディテクション技術は、ＢＳマルチ・アンテナ・システムとそれぞれのユーザ伝送アンテナの間の関連チャネル情報を十分に利用し、ジョイント・ディテクションによってシングル・ユーザの情報を取得し、それによって最良の決定効果を得る。たとえば、サービスを提供するＢＳ  １ａは、最小平均二乗誤差検出法（ＭＭＳＥ検出）または最小平均二乗誤差−逐次干渉除去法（ＭＭＳＥ−ＳＩＣ検出）、逆相関検出法すなわちゼロフォーシング・マルチ・ユーザ・ディテクション（ＺＦ  ＭＵＤ）、並列干渉除去法または逆相関判定帰還法（ＤＤＦ）、最良のマルチ・ユーザ・ディテクションすなわち最尤系列推定（ＭＬＳＥ）を利用することができる。もちろん、ＢＳ  １ａによって利用される検波手法は、前述した手法に限定されない。ＢＳ  １ａは、他の検波手法も利用することができる。
【００８３】
次に、ＢＳ  １ａは検波データを検査するが、検査の結果には、以下の２つの状況がある。
【００８４】
状況１：ＡＣＫ
第１の判断手段１００が、巡回冗長検査法を利用するなどして検波データを検査し、検査結果が適切である、すなわちＢＳ  １ａがユーザ・データを適切に検波できる場合、第１の送信手段１０１は、すべての隣接するＢＳ  １ｂおよびＢＳ  １ｃにＡＣＫメッセージを送信し、このＡＣＫメッセージは、隣接するＢＳ  １ｂおよびＢＳ  １ｃに、取得された隣接するＢＳ  １ｂおよびＢＳ  １ｃのユーザ・データをＢＳ  １ａに送信する必要がないことを示すために使用される。
【００８５】
次いで、ＢＳ  １ａはハイブリッド自動再送要求（ＨＡＲＱ）伝送を終了する。
【００８６】
ＨＡＲＱ再送メカニズムが同期再伝送をサポートする場合、ＢＳ  １ａは、あらかじめ定義されたタイムスロットがＭＳ  ２ａへのＡＣＫメッセージの伝送に到達するまで待機する。別の実施形態では、ＢＳが非同期ＨＡＲＱ再伝送をサポートする場合、すなわちＢＳからのＡＣＫメッセージまたはＮＡＣＫメッセージが、あらかじめ設定されていないときにＭＳ  ２ａに到達できる場合、ＢＳ  １ａは、ＭＳ  ２ａのデータが適切に受信されたと判断した直後に、ＭＳにＡＣＫメッセージを送信することができ、ＭＳは、それに応じてそのデータ送信のタイムスロットを調整して待ち時間をさらに減少させることができる。
【００８７】
状況２：ＮＡＣＫ
第１の判断手段１００が、巡回冗長検査法を利用するなどして検波データを検査し、検査結果が適切でない場合、第１の送信手段１０１は、ＣｏＭＰクラスタ内のすべての隣接するＢＳ  １ｂおよびＢＳ  １ｃにＮＡＣＫメッセージを送信し、このＮＡＣＫメッセージは、隣接するＢＳ  １ｂおよびＢＳ  １ｃに、隣接するＢＳ  １ｂおよびＢＳ  １ｃによって取得されたユーザ・データをＢＳ  １ａに送信する必要があることを示すために使用される。
【００８８】
まず、ＢＳ  １ｂの第２の判断手段２００は、サービスを提供するＢＳ  １ａから受信されたのがＡＣＫかそれともＮＡＣＫかを判断する。
【００８９】
第２の判断手段２００が、ＡＣＫメッセージがＢＳ  １ａから受信されたと判断した場合、フラッシュ手段２０１は、バッファリングされたＭＳ  ２ａのユーザ・データをフラッシュする。
【００９０】
第２の判断手段２００が、ＮＡＣＫメッセージがＢＳ  １ａから受信されたと判断した場合、第２の送信手段２０２は、ＭＳ  ２ａにユーザ・データを送信する。ユーザ・データに含まれる内容は、検波手法の違いによって異なり、より具体的には、その内容は少なくとも以下の２つの状況に分類することができる。
【００９１】
□同期検波：
ＣｏＭＰネットワークが同期検波をサポートする場合、第２の送信手段２０２によってＢＳ  １ａに送信されるユーザ・データは、少なくともデータおよびＣＳＩという２つの部分を含まなければならない。
【００９２】
−  データは、干渉除去などの信号前処理後の信号シンボルを定量化した値とすることができる。この信号シンボルを定量化した値は、チャネル検波後の出力である。
【００９３】
さらに、データは元のデータのサンプル値、すなわちアナログ−デジタル変換器（ＡＤＣ）の出力ベースバンド・サンプル・シンボルとすることもでき、このサンプル・シンボルは、ＢＳ  １ｂによって処理されていない元の出力データである。
【００９４】
−  ＣＳＩは、ＭＳ  ２ａからのパイロット情報に従ってＢＳ  １ｂによって推定された、ＭＳ  ２ａからＢＳ  １ｂへのＣＳＩである。
【００９５】
□非同期検波：
ＣｏＭＰネットワークが非同期検波をサポートする場合、ＢＳ  １ｂによってＢＳ  １ａに送信されるユーザ・データは、ソフト・ビット情報である。このソフト・ビット情報は、チャネル検波後の出力である。
【００９６】
ソフト・ビット情報とは、ＡＤＣ、チャネル推定、等化、復調、およびターボ復号器の後にＢＳ  １ｂによって受信された信号の出力であるソフト・ビット情報である。いわゆるソフト・ビット情報は、硬判定の１ビット情報０および１に対して、軟判定後に取得されたマルチ・ビット情報である。
【００９７】
第２の送信手段２０２がＢＳ  １ａにユーザ・データを送信した後、ＢＳ  １ｂは、バッファリングされたＭＳ  ２ａのユーザ・データをフラッシュする。
【００９８】
次いで、ＢＳ  １ａの受信手段１０２はＢＳ  １ｂおよびＢＳ  １ｃからのユーザ・データを受信する。
【００９９】
以下では、同期検波および非同期検波という２種類の検波手法に関して、ＢＳ  １ｂおよびＢＳ  １ｃからのユーザ・データに含まれる詳細な内容についてそれぞれ説明する。
【０１００】
□同期検波：
ＣｏＭＰネットワークが同期検波をサポートする場合、受信手段１０２によって取得されたＢＳ  １ｂおよびＢＳ  １ｃからのユーザ・データは、少なくともデータおよびＣＳＩという２つの部分を含まなければならない。
【０１０１】
−  データは、信号前処理後の信号シンボルを定量化した値であってもよいし、元のデータのサンプル値であってもよい。
【０１０２】
−  ＣＳＩは、ＭＳからのパイロット情報に従ってＢＳ  １ｂおよびＢＳ  １ｃによってそれぞれ推定されたＣＳＩである。
【０１０３】
□非同期検波：
ＣｏＭＰネットワークが非同期検波をサポートする場合、受信手段１０２によって取得されたＢＳ  １ｂおよびＢＳ  １ｃからのユーザ・データは、ソフト・ビット情報を含まなければならない。
【０１０４】
ソフト・ビット情報とは、ＢＳ  １ｂおよびＢＳ  １ｃのターボ復号器からの出力情報である。
【０１０５】
次いで、結合手段１０３は、ローカルで検波されたユーザ・データならびにＢＳ  １ｂおよびＢＳ  ２ｃからのデータによってジョイント・ディテクションおよび結合を実施する。
【０１０６】
□同期検波には、以下の２つの異なる状況がある。
【０１０７】
１）受信手段１０２は、それぞれＢＳ  １ｂおよびＢＳ  １ｃによって検波されたＢＳ  １ｂおよびＢＳ  １ｃからの信号前処理の後のＭＳ  ２ａの信号シンボルを定量化した値を受信する。したがって、結合手段１０３は、ＭＳ  ２ａのパイロット情報から推定されたＢＳ  １ａとＭＳ  ２ａの間のＣＳＩ、ＢＳ  １ｂによって報告されたＢＳ  １ｂとＭＳ  ２ａの間のＣＳＩ、ＢＳ  １ｃによって報告されたＢＳ  １ｃとＭＳ  ２ａの間のＣＳＩ、ローカルで検波された信号前処理の後のＭＳ  ２ａからの信号シンボルを定量化した値、ならびにＢＳ  １ｂおよびＢＳ  １ｃによってそれぞれ検波されたＢＳ  １ｂおよびＢＳ  １ｃからの、ＭＳ  ２ａからの信号前処理の後の信号シンボルを定量化した値に従って、ジョイント・ディテクションおよび結合を実施する。
【０１０８】
２）または、ＢＳ  １は、それぞれＢＳ  １ｂおよびＢＳ  １ｃによって取得され報告されたＭＳ  ２ａの元のデータのサンプル値を受信する。したがって、結合手段１０３は、ＭＳ  ２ａのパイロット情報から推定されるＢＳ  １ａとＭＳ  ２ａの間のＣＳＩ、ＢＳ  １ｂによって報告されるＢＳ  １ｂとＭＳ  ２ａの間のＣＳＩ、ＢＳ  １ｃによって報告されるＢＳ  １ｃとＭＳ  ２ａの間のＣＳＩ、ローカルで取得されたＭＳ  ２ａからの元のデータのサンプル値、ならびにそれぞれＢＳ  １ｂおよびＢＳ  １ｃによって取得されて報告された、ＭＳ  ２ａからの元のデータのサンプル値に従って、ジョイント・ディテクションおよび結合を実施する。
【０１０９】
前述した同期検波の状況１）および２）では、検波手法がシングル・ユーザ・ディテクションである場合は、結合手段１０３によって使用されるジョイント・ディテクションおよび結合はＭＲＣ検波を使用することができ、検波手法がマルチ・ユーザ・ディテクションである場合は、結合手段１０３によって使用されるジョイント・ディテクションおよび結合は、ＭＭＳＥ検出またはＭＭＳＥ−ＳＩＣ検出を使用することができる。もちろん、ジョイント・ディテクションおよび結合のアルゴリズムは、上記の例に限定されるものではない。
【０１１０】
□非同期検波
結合手段１０３は、ＢＳ  １ｂおよびＢＳ  １ｃからのソフト・ビット情報ならびにＢ１ａがＭＳ  ２ａからの受信信号の信号処理を行った後に生成されたソフト・ビット情報に従ってソフト・ビット結合を実施する。
【０１１１】
ＨＡＲＱ再伝送が非同期再伝送をサポートする場合、結合手段１０３が、隣接するＢＳ  １ｂおよびＢＳ  １ｃによって報告されたＭＳ  ２ａのユーザ・データを結合した後で結合手段１０３がユーザ・データを適切に検波するか、それでも適切に検波しないとき、ＢＳ  １ａは、ジョイント・ディテクションおよび結合の結果に従ってＡＣＫメッセージまたはＮＡＣＫメッセージを生成する。次に、ＢＳ  １ａは、定期的なＨＡＲＱ再伝送または新規データ送信を引き起こすために、指定のタイムスロットの到来まで待機せずに、ＡＣＫメッセージまたはＮＡＣＫメッセージをＭＳ  ２ａにただちに送信する。
【０１１２】
ＢＳ  １ａが厳密な同期ＨＡＲＱ再伝送メカニズムをサポートする場合、ＢＳ  １ａは、ＡＣＫ／ＮＡＣＫを報告するための指定のタイムスロットが到来するまで、ＭＳ  ２ａにＡＣＫメッセージまたはＮＡＣＫメッセージを送信することができる。
【０１１３】
前述したＢＳ  １ａの実施形態では、第１の判断手段１００が、ＮＡＣＫメッセージを送信することが必要であると判断すると、第１の送信手段１０１は、ＣｏＭＰクラスタ内のすべての隣接するＢＳ  １ｂおよびＢＳ  １ｃにＮＡＣＫメッセージを送信し、ＢＳ  １ｂおよびＢＳ  １ｃにユーザ・データを送信することを通知し、それによってＢＳ  １ａが、それぞれ複数のＢＳによって収集されたユーザ・データに従ってジョイント・ディテクションおよび結合を実施できる。変更された実施形態では、段階的なジョイント・ディテクションおよび結合手法について説明する。すなわちサービスを提供するＢＳ  １ａが、隣接ＢＳに、収集されたユーザ・データをそれぞれ送信し、１×１または複数×複数のジョイント・ディテクションおよび結合に加わることを要求する。
【０１１４】
図５をさらに参照すると、ＢＳ  １ａの第１の判断手段１００が、隣接ＢＳにＮＡＣＫメッセージを送信することが必要であると判断した場合、ＢＳ  １ａは、ＭＳ  ２ａが位置するＣｏＭＰクラスタ内の１つまたは複数のＢＳにＮＡＣＫメッセージを送信することを選択する。
【０１１５】
ＢＳ  １ａの選択方式には、少なくとも以下の２種類がある。
【０１１６】
Ｉ）位置関連情報による方式
ＭＳ  ２ａが、ＭＳ  ２ａがアクセスされたときの初期範囲設定または定期的な範囲設定またはハンドオーバ範囲設定を含めて、範囲設定を実施するとき、ＭＳ  ２ａは、各ＢＳに対する位置関係を測定し、その位置関連情報を、サービスを提供するＢＳ  １ａに報告することができる。サービスを提供するＢＳ  １ａは、ＭＳ  ２ａに最も近い１つまたは複数の隣接ＢＳを選択して、それらにＮＡＣＫメッセージを送信し、それによって１つまたは複数の隣接ＢＳに、サービスを提供するＢＳ  １ａにユーザ・データを送信するように指示することができる。本実施形態では、ＢＳ  １ｂがＭＳ  ２ａに最も近く、ＢＳ  １ｂとＭＳ  ２ａの間の信号強度が最も強い。したがって、サービスを提供するＢＳ  １ａは、ＢＳ  １ｂにユーザ・データを送信するように指示するためにＮＡＣＫメッセージをＢＳ  １ｂに送信する。
【０１１７】
本明細書において、サービスを提供するＢＳ  １ａはＢＳ  １ｃにＮＡＣＫメッセージを送信せず、そのため、ＢＳ  １ｃはサービスを提供するＢＳ  １ａにユーザ・データを送信しない。したがって、バックホール・コストが発生しない。
【０１１８】
ＩＩ）配置のシーケンス番号による方式
ＢＳ  １ａは、隣接するＢＳ  １ｂにはシーケンス番号０、隣接するＢＳ  １ｃにはシーケンス番号１などのように、隣接ＢＳのシーケンス番号をランダムに選択することができる。
【０１１９】
次に、ＢＳ  １ａは、シーケンス番号の昇順またはシーケンス番号の降順によって、結合するための隣接ＢＳを選択する。本実施形態では、ＢＳ  １ａは、最初にＢＳ  １ｂを結合する。
【０１２０】
次に、結合手段１０３は、ＢＳ  １ａからのユーザ・データおよびＢＳ  １ｂからのユーザ・データに従って、ジョイント・ディテクションおよび結合を実施する。結合手段１０３によって実行されるステップについては上記で説明したので、ここでは詳細に説明しない。
【０１２１】
次いで、第１の判断手段１００は、ユーザ・データが適切に検波できるかどうかを判断する。第１の判断手段１００によって実行されるステップについては上記で説明したので、ここでは詳細に説明しない。
【０１２２】
第１の判断手段１００は、ＡＣＫメッセージを送信することが必要であると判断すると、第１の送信手段１０１は、ＣｏＭＰクラスタ内の、ジョイント・ディテクションおよび結合に加わっていないすべての隣接ＢＳにＡＣＫメッセージを送信する。たとえば、この実施形態では、第１の送信手段１０１は、ジョイント・ディテクションおよび結合に加わっていない他の隣接するＢＳ  １ｃにＡＣＫメッセージを送信し、次に、ＢＳ  １ａはＨＡＲＱ伝送を完了する。
【０１２３】
第１の判断手段１００が、ＮＡＣＫメッセージを送信することが必要であると判断するとき、第１の判断手段１００はさらに、どのＢＳにＮＡＣＫメッセージを送信するかを判断する必要がある。第１の送信手段１０１は、ＢＳ  １ａにデータを送信していない１つまたは複数の他の隣接ＢＳにＮＡＣＫメッセージを送信する必要があり、それによってＢＳ  １ａにデータを送信していない１つまたは複数の他の隣接ＢＳに、取得されたユーザ・データをそれぞれ送信するように指示し、サービスを提供するＢＳ  １ａはジョイント・ディテクションおよび結合を実施することが可能になる。ＢＳ  １ａが、ユーザ・データを送信するべき隣接ＢＳを選択する方式については、上記で説明した。したがって、これについて、ここで詳細に説明しない。たとえば、ＢＳ  １ａは、その取得されたユーザ・データを送信するべきＢＳ  １ｃを選択する。
【０１２４】
次いで、受信手段１０２は、ＢＳ  １ｃからユーザ・データを受信する。次に、結合手段１０３は、ＢＳ  １ａからのユーザ・データならびに隣接するＢＳ  １ｂおよびＢＳ  １ｃからのユーザ・データに従って、ジョイント・ディテクションおよび結合を実施する。
【０１２５】
次いで、第１の判断手段１００、第１の送信手段１１０、受信手段１０２、および結合手段１０３は、以下の所定の条件のいずれか１つが満たされるまで、それぞれの動作を繰り返し実行する。
【０１２６】
−  ＢＳ  １ａが、ジョイント・ディテクションおよび結合を実施するためにＭＳ  ２ａにサービスを提供するすべての隣接ＢＳを結合する。
【０１２７】
−  ＢＳ  １ａが、ジョイント・ディテクションおよび結合を実施するためにＭＳ  ２ａにサービスを提供する一部の隣接ＢＳを結合し、検査に合格したなどのユーザ・データを適切に検波する。
【０１２８】
−  ＭＳ  ２ａにＡＣＫメッセージまたはＮＡＣＫメッセージを送信する時間になる。たとえば、同期ＨＡＲＱ再伝送ＢＳの場合、各ＢＳがＭＳにＮＡＣＫメッセージまたはＡＣＫメッセージを送信する時間は厳密に調節される。その時間になると、ＢＳ  １ａがまだユーザ・データを適切に検波していない場合は、ＢＳ  １ａは、ＭＳ  ２ａにＮＡＣＫメッセージを送信する必要がある。ユーザ・データが適切に検波されている場合は、ＢＳ  １ａは、ＭＳ  ２ａにＡＣＫメッセージを送信する。
【０１２９】
上記の各実施形態では、多地点協調伝送管理機器がサービスを提供するＢＳを含む例について説明した。もちろん、多地点協調伝送管理機器は、多地点協調伝送のための信号およびデータ交換を管理する中央処理装置とすることもできる。そのうえ、多地点協調伝送管理機器は、ＢＳ内部のさまざまなセクタを管理するために使用されるサービスを提供するＢＳをさらに含むことができる。
【０１３０】
性能解析
システム・シミュレーションでは、選択されたパラメータは、発表されているＴｄｏｃ  Ｒ１−０９０７７０で参照することができる。ポストＳＩＮＲ（ｐｏｓｔ−ＳＩＮＲ）によって、対応するジョイント変調符号化技術（ＭＣＳ）が選択される、すなわちＣｏＭＰユーザにサービスを提供するＣｏＭＰクラスタ内のすべてのＢＳのリンクとそのユーザの間のＳＩＮＲの合計によって、対応するＭＣＳが選択され、したがってリンクの周波数スペクトル利用率にとっての損失をもたらさないことを保証する。システム・シミュレーションを通して、サービスを提供するＢＳによるローカルでの検波失敗率は０．６００９６８であることが達成され得る。すなわち、この種類の手法は、バックホール・コストを４０％節約することができる。
【０１３１】
本発明の実施形態について上記で説明してきた。しかし、本発明は、特定のシステム、機器、および詳細なプロトコルに限定されない。当業者は、特許請求の保護範囲で種々の変形形態または変更形態を実施することができる。
【図１】
0005345729.tif 000002
【図２】
0005345729.tif 000003
【図３】
0005345729.tif 000004
【図４】
0005345729.tif 000005
【図５】
0005345729.tif 000006